(57)【要約】【課題】メガネのフロントフレーム正面に前掛けフレームを着脱自在に取付けて成る前掛け式メガネフレームであって、磁石を使用することなく極めて簡単な構造で前掛けフレームを安定して取付けできる前掛け式メガネフレームの提供。【解決手段】フロントフレーム３の両サイドには第１係合部６，６を設け、前掛けフレーム９の両サイドには第２係合部である切欠き部１２，１２を形成し、切欠き部１２，１２を第１係合部６，６に係合して前掛フレーム９をフロントフレーム３に取付けることが出来る。【選択図】        図３
2005049518.tif 000002
【特許請求の範囲】
【請求項１】
メガネのフロントフレーム正面に前掛けフレームを着脱自在に取付けて成る前掛け式メガネフレームにおいて、フロントフレームの両サイドには第１係合部を設け、前掛けフレームの両サイドには第２係合部を形成し、上記第２係合部を第１係合部に係合して前掛フレームをフロントフレームに取付けたことを特徴とする前掛け式メガネフレーム。
【請求項２】
フロントフレームの連結部には第１嵌合部を設け、前掛フレームの連結部には第２嵌合部を形成し、第２嵌合部を第１嵌合部に嵌合した請求項１記載の前掛け式メガネフレーム。
【請求項３】
メガネのフロントフレーム正面に着脱自在に取付けられる前掛けフレームにおいて、該前掛けフレームはプラスチック製のサングラスレンズをフロントフレームに近似した形状に切削して形成し、そして両サイドにはフロントフレームに設けた第１係合部に係合する第２係合部を形成したことを特徴とする前掛けフレーム。
【請求項４】
上記第２係合部として切欠き部を設けた請求項３記載の前掛けフレーム。
【発明の詳細な説明】
【０００１】
【発明の属する技術分野】
本発明は、前掛けサングラスをメガネのフロントフレームの正面に簡単な方法で、安定して取付けることが出来る前掛け式メガネフレームに関するものである。
【０００２】
【従来の技術】
従来においても、メガネのフロントフレームに前掛けフレームを取付けたメガネは多用されている。これは周知の通り、近眼の人がサングラスを必要とする場合や、老眼であるにもかかわらず近眼でもあるといったケースは多く、このような場合に近眼用のメガネにサングラスの前掛けフレームを取付けたり、近眼用のメガネに老眼用レンズを入れた前掛けフレームを使用するといった具合である。
【０００３】
ところで、従来型式の前掛けフレームを備えたメガネフレームには幾つかの問題がある。その１つは取付け構造が複雑である為に製作コストが高くなると共に、嵌合状態があまくなってガタ付きを生じ、前掛けフレームが安定しないと言った点である。
【０００４】
図５は従来多用されている前掛け式メガネフレームを示し、（ａ）はメガネフレーム、（ｂ）は上記メガネフレーム（イ）のフロントフレーム（ハ）に取付けられる前掛けフレーム（ロ）を表している。フロントフレーム（ハ）の両側に設けているヨロイ（ニ）、（ニ）には磁石（ホ）、（ホ）が取着され、前掛けフレーム（ロ）の両側に設けているヨロイ（ヘ）、（ヘ）にも同じく磁石（ト）、（ト）を有している。
【０００５】
そこで、上記前掛けフレーム（ロ）はフロントフレーム（ハ）の正面に重ね合わされ、磁石（ホ）に磁石（ト）が引き付けられて取着される。勿論、磁石（ホ）、（ト）を介して取付けられる前掛けフレームが位置ズレしないように何らかの工夫はされている。実用新案登録第３０８１２７１号に係る「めがね」はこの前掛け式メガネフレームに相当する。
【０００６】
又、特許第２９９７４１８号に係る「着脱眼鏡取付装置」はフロントフレームのヨロイ部に受部を設けると共に該受部には磁石を取付け、前掛けフレームを該受部に載せて磁石にて吸着する構造と成っている。このように、従来の構造では前掛け式メガネフレームのフロントフレーム及び前掛けフレームに小さな磁石を取付けた形態となり、製作費が高くなってしまう。一方、前掛けフレームは常に必要な訳ではなく、使用しない時には何かのケースに入れて携帯している。その為に、携帯する前掛けフレームが嵩張ることで不便を感じることも多い。
【０００７】
【発明が解決しようとする課題】
このように、従来の前掛け式メガネフレームには上記のごとき問題がある。本発明が解決しようとする課題はこの問題点であり、前掛けフレームが安定して取付けられると共に、簡単な構造にて安く製作出来る前掛け式メガネフレームを提供する。又、磁石の取付が困難な前掛けフレームであっても、メガネのフロントフレームに取付け出来る前掛けフレームを提供する。
【０００８】
【課題を解決する為の手段】
本発明に係る前掛け式メガネフレームは、前掛けフレームをメガネのフロントフレームの正面に取付け可能な構造とし、不要な場合には取外し出来るものであり、その基本的な作用は従来と共通する。しかし、前掛けフレームを取付ける手段としては従来例で説明したような磁石は用いられず、メガネのフロントフレーム両サイドに係止して取付けすることが出来るような構造としている。
【０００９】
そこで、フロントフレームの両サイドには第１係合部を設け、前掛けフレームの両側端には第２係合部を形成している。ここで、第１係合部及び第２係合部の具体的な形状は限定しないが、第１係合部に第２係合部を係合することで前掛けフレームがフロントフレームに取付られる。そして、前掛けフレームの形態も自由であり、プラスチックのサングラスレンズを所定の形状に切断した場合、又は従来のようにリムにレンズを嵌めた形態とすることもある。しかし、いずれの形態であっても、両端部には第２係合部を設けている。以下、本発明に係る実施例を図面に基づいて詳細に説明する。
【００１０】
【実施例】
図１は本発明に係る前掛けフレームが取付けられるメガネのフロントフレーム３を示す実施例である。基本的な形態は一般的なメガネフレームと共通しており、両リム１，１は連結部２の両側に設けられ、フロントフレーム３の両サイドにはツル４，４が蝶番５，５を介して折畳み出来るように取付けられている。そして、該フロントフレーム３の両サイドの表面側には第１係合部６，６を設けている。また、連結部２の表面には細長い凸部７を形成している。
【００１１】
このメガネフレームはリム１，１にレンズ８，８を嵌めて、このまま顔に掛けることが出来る。一方、該フロントフレーム３の正面に別の前掛けフレームを取付けることが可能であり、本発明はフロントフレーム３の両サイドに設けている第１係合部６，６を用いて前掛けフレームが係止される。
【００１２】
図２は前掛けフレームを示す具体例であり、サングラスレンズを表している。
この前掛けフレーム９はプラスチック製のサングラスレンズを所定のフロント部形状に切削され、両レンズ部１０，１０が連結部１１によって繋がれているが、前掛けフレーム９の両サイドには切欠き部１２，１２を形成している。又連結部１３には細長いスリット溝１３を有し、前掛けフレーム９全体としては、僅かに湾曲している。そして、その形状はフロントフレーム３と近似し、取付けた場合にフロントフレーム３が被覆されるように成っている。
【００１３】
図３はフロントフレーム３に前掛けフレーム９を取付ける場合を示している。
同図に示すように、該前掛けフレーム９を湾曲させた状態で両サイドに形成している切欠き部１２，１２をフロントフレーム両サイドに設けている第１係合部６に係合して取付ける。第１係合部６に切欠き部１２が係合するならば、前掛けフレーム９はフロントフレーム３の正面に重なり合って、独りでに外れることはない。
【００１４】
前掛けフレーム９は湾曲させた状態で切欠き部１２，１２を第１係合部６，６に係合させる為に、該前掛けフレーム９を取外す際には、再び湾曲させた状態で第１係合部６，６から切欠き部１２，１２を離脱させる。そして、フロントフレーム３に重なり合って取付けられている場合、前掛けフレーム９の弾性回復力が作用して切欠き部１２，１２は第１係合部６，６にガタ付くことなく係合することが出来、取付けられる前掛けフレーム９は安定する。
【００１５】
図４は前掛けフレーム９がフロントフレーム３の正面に取付けられている場合であり、前掛けフレーム９の両サイドに形成している切欠き部１２，１２がフロントフレーム両サイドの第１係合部６，６に係合すると共に、フロントフレーム３の連結部正面に突出している凸部７に前掛けフレーム９の連結部１１に形成したスリット溝１３が係合している。
【００１６】
このように、該前掛けフレーム９は両サイドと中央部にてフロントフレーム３に位置決めされて取付けられる。ここで、第１嵌合部と成る凸部７及び第２嵌合部と成るスリット溝１３は必ずしも必要でなく、又その形状を変えることもある。要するに、前掛けフレーム９の中央部を止着して安定させる手段として互いに嵌合する部位を形成している。
【００１７】
このように、本発明では磁石を用いることなく、前掛けフレーム９はその弾性を利用してフロントフレーム３に安定して取付けられる。しかも、取付け構造は至って簡単である。上記前掛けフレーム９の切欠き部１２は第２係合部の１形態であり、レンズ部外側に凹部を形成しているが、逆に凸部を形成することも可能である。勿論、その場合にはフロントフレーム３の第１係合部の形態を凸部が係合するような凹状とされる。
【００１８】
前記実施例で示した前掛けフレーム９は所定の形状に切削されたサングラスレンズで構成しているが、リムにレンズを嵌めた形態の前掛けフレーム９として構成することも出来る。この場合にも、両サイドに切欠き部などで形成される第２係合部が設けられる。
【００１９】
以上述べたように、本発明の前掛け式メガネフレームは、フロントフレームの両サイドに第１係合部を、そして前掛けフレームの両サイドには第２係合部を設けたものであり、次のような効果を得ることが出来る。
【００２０】
【発明の効果】
本発明の前掛け式メガネフレームは、フロントフレームの両サイドに設けた第１係合部に前掛けフレームの両サイドに設けた第２係合部を係合することで、該前掛けフレームを簡単に取付け出来る。そして、取付ける際には、前掛けフレームを湾曲して第１係合部に係合する為に、取付けられた状態では弾性回復力が作用して第２係合部が第１係合部に係合してガタ付くことなく、安定した取付けが出来る。
【００２１】
そして、フロントフレーム及び前掛けフレームには互いに係合する第１係合部と第２係合部を設けた簡単な構造であり、従来のような磁石を備えた前掛け式メガネフレームに比較して製作コストは安くなる。更に、実施例で示したように、フレームを用いないで所定の形状に切削して、磁石を固定する箇所のないサングラスであっても、本発明では前掛けフレームとしてフロントフレームに取付け出来る。
【図面の簡単な説明】
【図１】両サイドに第１係合部を備えたメガネフレーム。
【図２】前掛けフレームの具体例。
【図３】前掛けフレームをフロントフレームに取付ける場合。
【図４】前掛フレームを取付けた前掛式メガネフレームの実施例。
【図５】従来の前掛け式メガネフレーム。
【符号の説明】
１  リム
２  連結部
３  フロントフレーム
４  ツル
５  蝶番
６  第１係合部
７  凸部
８  レンズ
９  前掛フレーム
１０  レンズ部
１１  連結部
１２  切欠き部
１３  スリット溝
【図１】
2005049518.tif 000003
【図２】
2005049518.tif 000004
【図３】
2005049518.tif 000005
【図４】
2005049518.tif 000006
【図５】
2005049518.tif 000007